(57)【要約】【課題】筐体の温度上昇を抑制しうる撮影装置を提供する。【解決手段】  光学系１４６による像を撮像する撮像部１４０と、Ｌａｂ表色系における明度Ｌが４０未満であって、波長９００ｎｍ以上１７００ｎｍ未満の光の反射率が３０％以上となる反射層２４が少なくとも一部に備えられ前記撮像部を収納する筐体４とを含むことを特徴とする撮影装置。【選択図】図１
2010160335.tif 000002
【特許請求の範囲】
【請求項１】
光学系による像を撮像する撮像部と、
Ｌａｂ表色系における明度Ｌが４０未満であって、波長９００ｎｍ以上１７００ｎｍ未満の光の反射率が３０％以上となる反射層が少なくとも一部に備えられ前記撮像部を収納する筐体とを含むことを特徴とする撮影装置。
【請求項２】
光学系による像を撮像する撮像部と、
Ｌａｂ表色系における明度Ｌが４０以上７０未満であって、波長９００ｎｍ以上１７００ｎｍ未満の光の反射率が５０％以上となる反射層が少なくとも一部に備えられ前記撮像部を収納する筐体とを含むことを特徴とする撮影装置。
【請求項３】
光学系による像を撮像する撮像部と、
Ｌａｂ表色系における明度Ｌが７０以上であって、波長９００ｎｍ以上１７００ｎｍ未満の光の反射率が７０％以上となる反射層が少なくとも一部に備えられ前記撮像部を収納する筐体とを含むことを特徴とする撮影装置。
【請求項４】
請求項１から請求項３までの何れか１項に記載された撮影装置であって、
前記筐体は、前記撮像部を操作するための操作部が備えられ前記撮像部に入射する光の入射方向に略平行な第１面を有し、
前記反射層は、前記第１面に備えられていることを特徴とする撮影装置。
【請求項５】
請求項４に記載された撮影装置であって、
前記操作部はレリーズスイッチであることを特徴とする撮影装置。
【請求項６】
請求項４又は請求項５に記載された撮影装置であって、
前記筐体は、前記撮像部に入射する光の入射方向に備えられた第２面を有し、
前記反射層は、前記第２面に備えられていることを特徴とする撮影装置。
【請求項７】
請求項４から請求項６までの何れか１項に記載された撮影装置であって、
前記筐体は、前記撮像部で撮像された画像を表示する表示部が備えられ、前記撮像部に入射する光の入射方向に交差する方向に備えられた第３面を有し、
前記第３面は、波長９００ｎｍ以上１７００ｎｍ未満の光の反射率が前記反射層よりも低い層を用いて構成されていることを特徴とする撮影装置。
【請求項８】
請求項４から請求項７までの何れか１項に記載された撮影装置であって、
前記筐体は、前記第１面に対向する方向に備えられた第４面を有し、
前記第４面は、全長９００ｎｍ以上１７００ｎｍ未満の光の反射率が前記反射層よりも低い層を用いて構成されていることを特徴とする撮影装置。
【発明の詳細な説明】
【技術分野】
【０００１】
本発明は、撮影装置に関する。
【背景技術】
【０００２】
カメラ等の撮影装置は、野外でのイベント撮影等に用いられる場合のように、太陽光のような赤外線を含む光線を多量に照射される環境下で使用される場合がある。従来技術に係る撮影装置では、太陽光が多量に照射される環境下で用いられた場合、照射熱によって撮影装置の温度が上昇するという問題が発生している。
【０００３】
撮影装置等の日射による温度上昇を防止するための従来技術としては、例えば筐体の表面に可逆感温変色層を備えるものが知られている（特許文献１等参照）。しかし、従来技術に係る撮影装置は、照射熱による光学装置の温度上昇を十分に抑制することができず、特に濃色の外装の場合に温度上昇を抑制することはできなかった。
【先行技術文献】
【特許文献】
【０００４】
【特許文献１】特開２００７−４９３７０号公報
【発明の概要】
【発明が解決しようとする課題】
【０００５】
本発明は、このような実状に鑑みてなされ、その目的は、好適な撮影が可能な撮影装置を提供することである。
【課題を解決するための手段】
【０００６】
上記目的を達成するために、本発明に係る撮像装置は、
光学系（１４６，６８，１００，１１９）による像を撮像する撮像部（１４０）と、
Ｌａｂ表色系における明度Ｌが４０未満であって、波長９００ｎｍ以上１７００ｎｍ未満の光の反射率が３０％以上となる反射層（２４）が少なくとも一部に備えられ前記撮像部を収納する筐体（４，４ａ，４ｂ，５２，５２ａ，８４，１１２）とを含むことを特徴とする。
【０００７】
また、本発明の第２の観点に係る撮像装置は、
光学系（１４６，６８，１００，１１９）による像を撮像する撮像部（１４０）と、
Ｌａｂ表色系における明度Ｌが４０以上７０未満であって、波長９００ｎｍ以上１７００ｎｍ未満の光の反射率が５０％以上となる反射層（２４）が少なくとも一部に備えられ前記撮像部を収納する筐体（４，４ａ，４ｂ，５２，５２ａ，８４，１１２）とを含むことを特徴とする。
【０００８】
また、本発明の第３の観点に係る撮像装置は、
光学系（１４６，６８，１００，１１９）による像を撮像する撮像部（１４０）と、
Ｌａｂ表色系における明度Ｌが７０以上であって、波長９００ｎｍ以上１７００ｎｍ未満の光の反射率が７０％以上となる反射層（２４）が少なくとも一部に備えられ前記撮像部を収納する筐体（４，４ａ，４ｂ，５２，５２ａ，８４，１１２）とを含むことを特徴とする。
【０００９】
また、例えば、前記筐体は、前記撮像部を操作するための操作部（２２，６６，９８，１１７）が備えられ前記撮像部に入射する光の入射方向に略平行な第１面（１４，５８，９０，１１６）を有してもよく、
前記反射層は、前記第１面に備えられてもよい。
【００１０】
また、例えば、前記操作部はレリーズスイッチであってもよい。
【００１１】
また、例えば、前記筐体は、前記撮像部に入射する光の入射方向に備えられた第２面（１０，１０ａ，１０ｂ，５４，５４ａ，８６，１１４）を有してもよく、
前記反射層は、前記第２面に備えられてもよい。
【００１２】
また、例えば、前記筐体は、前記撮像部で撮像された画像を表示する表示部（４８，７２）が備えられ、前記撮像部に入射する光の入射方向に交差する方向に備えられた第３面（１２，５６）を有してもよく、
前記第３面は、波長９００ｎｍ以上１７００ｎｍ未満の光の反射率が前記反射層よりも低い層（２６）を用いて構成されてもよい。
【００１３】
また、例えば、前記筐体は、前記第１面に対向する方向に備えられた第４面（１６６０）を有してもよく、
前記第４面は、全長９００ｎｍ以上１７００ｎｍ未満の光の反射率が前記反射層よりも低い層を用いて構成されてもよい。
【００１４】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１５】
【図１】図１は、本発明の第１実施形態に係るカメラボディの外観図である。
【図２】図２は、図１に示すカメラボディの概略断面図である。
【図３】図３は、本発明の第１〜第３実施形態に係るカメラの筐体を構成する上面、正面および左側面を表す外観図である。
【図４】図４は、本発明の第１〜第３実施形態に係るカメラの筐体を構成する背面、底面、左側面および右側面を表す外観図である。
【図５】図５は、本発明の一実施形態に係る筐体表面の一部を拡大した拡大断面図である。
【図６】図６は、反射層に光が照射された場合の照射光波長と反射率との関係を示す図である。
【図７】図７は、本発明の第２実施形態に係るカメラボディの外観図である。
【図８】図８は、本発明の第３実施形態に係るカメラボディの外観図である。
【図９】図９は、本発明の第４実施形態に係るレンズ鏡筒の全体図である。
【図１０】図１０は、本発明の第４および第５実施形態に係るカメラの筐体を構成する上面、正面および左側面を表す外観図である。
【図１１】図１１は、本発明の第４および第５実施形態に係るカメラの筐体を構成する背面および底面を表す外観図である。
【図１２】図１２は、本発明の第５実施形態に係るカメラの外観図である。
【図１３】図１３は、本発明の第６実施形態に係るカメラの外観図である。
【図１４】図１４は、本発明の第７実施形態に係るカメラの外観図である。
【発明を実施するための形態】
【００１６】
第１実施形態
図１は、本発明の第１実施形態に係るカメラボディ２の外観図である。図１（ａ）は、筐体４の上面１４および正面１０側からカメラボディ２を観察したものである。図１（ｂ）は筐体４の背面１２および底面１６側からカメラボディ２を観察したものである。筐体４の正面１０には、開口部８が形成されており、開口部８の周辺には、カメラボディ２にレンズ鏡筒を取り付けるためのレンズマウント３２が備えられている。
【００１７】
図２は、図１に示すカメラボディ２の概略断面図である。カメラボディ２は、筐体４と、撮像部１４０と、光学ファインダ部１４２とを有する。撮像部１４０と光学ファインダ部１４２は、筐体４の内部に収納されている。
【００１８】
レンズマウント３２には、レンズ鏡筒１４４が着脱可能に設置される。レンズ鏡筒１４４は、撮影光学系１４６を備えており、撮影光学系１４６は、筐体４の内部に、撮影光を導入する。
【００１９】
撮像部１４０は、撮影光学系１４６による像を撮像する。撮像部１４０は、光学ローパスフィルタ１５０と、撮像素子１４８とを有する。撮像素子１４８は、撮影光を光電変換し、撮像信号を生成する。光学ローパスフィルタ１５０は、撮像素子１４８の受光面を覆うように配置されており、偽色（色モアレ）の発生を防止する。
【００２０】
撮像部１４０と撮影光学系１４６の間には、シャッタ１４９とクイックリターンミラー１５２が配置されている。シャッタ１４９は、撮影時において露光時間を制御するための機構である。シャッタ１４９は、レリーズスイッチ２２（図１）からの信号等に基づき、撮影光学系１４６から撮像素子１４８に向かう撮影光を遮蔽したり、通過させたりすることができる。クイックリターンミラー１５２は、撮影光学系１４６からの撮影光を、光学ファインダ部１４２に向かって反射する。露光時において、クイックリターンミラー１５２は、撮影光を撮像部１４０に導くために、光路から退避する。
【００２１】
光学ファインダ部１４２は、ファインダ接眼窓３６（図１Ｂ）から光学ファインダ１４２を除く撮影者の目に、撮影光を導くことができる。光学ファインダ１４２は、ファインダスクリーン１５４、ペンタプリズム１５６、接眼レンズ群１５８等を有する。
【００２２】
図３および図４に示すように、筐体４は、上面１４（図３（ａ））と、正面１０（図３（ｂ））と、左側面１８と（図３（ｃ）、図４（ｃ））、背面１２（図４（ａ））と、底面１６（図４（ｂ））と、右側面２０（図４（ｃ））とを有する。
【００２３】
図３（ａ）は、筐体４における上面１４を実線で表し、その他の部分を点線で表している。上面１４は、撮影光の入射方向（Ｘ軸方向）に略平行である。また、上面１４には、レリーズスイッチ２２、上面表示パネル２８およびモードダイアル３０等が備えられる。レリーズスイッチ２２は、露光タイミングを決定するためのスイッチである。上面表示パネル２８は、撮影モードや、シャッタ速度、撮影可能枚数等、撮影に関する情報を表示する。モードダイアル３０は、撮影モード等を切り替えるためのスイッチである。
【００２４】
図３（ｂ）は、筐体４における正面１０を実線で表し、その他の部分を点線で表している。正面１０は、撮影光の入射方向（Ｘ軸負方向側）に備えられる。本実施形態において、正面１０は、筐体４を構成する各面のうち、レンズ鏡筒１４４（図２）側に配置される面を意味する。正面１０には、開口部３２が形成されており、開口部３２の周辺には、レンズマウント３２が備えられている。また、正面１０には、撮影者がカメラボディ２を保持しやすいように、グリップ部３４が形成されている。
【００２５】
図４（ａ）は、筐体４における背面１２を実線で表し、その他の部分を点線で表している。背面１２は、撮影光の入射方向（Ｘ軸方向）に交差する方向に備えられる。本実施形態において、背面１２は、筐体４を構成する各面のうち、正面１０とは反対側に配置される面を意味する。背面１２には、撮像部１４０で撮像された画像を表示する画像表示部４８や、撮影者がファインダ像を見るためのファインダ接眼窓３６等が備えられる。また、背面１２には、ファンクションボタン３８、情報表示ボタン４０、メニューボタン４２、方向ボタン４４および決定ボタン４６等の各ボタンが備えられる。
【００２６】
図４（ｂ）は、筐体４における底面１６を実線で表し、その他の部分を点線で表している。底面１６は、上面１４（図３（ａ））に対向する方向に備えられる。本実施形態において、底面１６は、筐体４を構成する各面のうち、上面１４に対して反対側に配置される面を意味する。底面１６には、三脚等を取り付けるための三脚座（不図示）が備えられる。
【００２７】
図３（ｃ）は、筐体４における左側面１８を実線で表し、その他の部分を点線で表している。また、図４（ｃ）は、筐体４における左側面１８および右側面２０を実線で表し、その他の部分を点線で表している。本実施形態において、左側面１８および右側面２０は、正面１０（図３（ｂ））と背面１２（図４（ａ））とを連結する。また、左側面１８および右側面２０は、上面１４（図３（ａ））と底面１１（図４（ｂ））とを連結する。また、撮影時において、右側面２０には、撮影者の右手が添えられることが多い。
【００２８】
図１（ａ）および図１（ｂ）において、斜線でハッチングされた部分には、波長９００ｎｍ以上１７００ｎｍ未満の光の反射率が高い反射層２４が備えられる。反射層２４は、筐体４を構成する表面のうち、上面１４、正面１０、左側面１８および右側面２０に備えられる。
【００２９】
図５（ａ）は、筐体４の表面において反射層２４が備えられる部分の拡大断面図である。図５（ａ）に示すように、本実施形態に係る反射層２４は、筐体本体部１２０の表面に形成された塗膜であるが、反射層２４としてはこれに限定されず、塗布以外の方法で形成された層であっても良い。
【００３０】
本実施形態に係る反射層２４は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する。また、反射層２４の中には、図５（ａ）に示すように、板状もしくは箱形形状の顔料１２２が含まれることが好ましい。また、さらに、これらの板状もしくは箱形形状の顔料１２２は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含むことが好ましい。
【００３１】
Ｓｉ，Ａｌ，Ｔｉ，Ｆｅ，Ｚｎ，Ｃｏ，Ｍｇ，Ｃａ，Ｓｒ，Ｂａ，Ｃｕを含む顔料１２２を、反射層２４に含有させることによって、反射層２４は、赤外線を効果的に反射することができる。さらに、反射層２４に含まれる顔料１２２の形状が、板状もしくは箱形形状であれば、反射層２４は、赤外線をより効果的に反射することができる。図３に示す顔料１２２が、反射層２４に入射される光のうち、赤外領域の波長光（赤外線）を効果的に反射するからである。なお、反射層２４は、赤外線を効率的に反射する顔料１２２の他に、反射層２４の色を変えるための他の顔料または染料を含んでいてもよい。これによって、反射層２４に赤外線を反射する機能を持たせつつ、反射層２４の色を任意の色とすることができる。
【００３２】
図１（ａ）および図１（ｂ）に示すように、筐体４には、波長９００ｎｍ以上１７００ｎｍ未満の光の反射率が、前記反射層２４よりも低い低反射層２６が備えられる。本実施形態に係る筐体４において、低反射層２６は、背面１２および底面１６に備えられる。
【００３３】
図５（ｂ）は、筐体４の表面において低反射層２６が備えられる部分の拡大断面図である。図５（ｂ）に示すように、本実施形態に係る低反射層２６は、筐体本体部１２０の表面に形成されており、筐体本体部１２０を保護する保護塗膜である。しかし、本実施形態に係る低反射層２６は、反射層２４とは異なり、赤外線の反射率が高い顔料１２２を有さない。
【００３４】
筐体本体部１２０の表面に備えられる反射層２４（図５（ａ））の色は、特に限定されない。しかし、反射層２４は、同程度の明度を有する低反射層２６（図５（ｂ））に比べて、物体に熱エネルギーを与える光を反射する反射率が高い。例えば、反射層２４は、そのＬａｂ表色系における明度Ｌが４０未満である場合は、波長９００ｎｍ以上１７００ｎｍ未満の光の反射率が３０％以上である。
【００３５】
また、例えば、反射層２４は、そのＬａｂ表色系における明度Ｌが４０以上７０未満である場合は、波長９００ｎｍ以上１７００ｎｍ未満の光の反射率が５０％以上である。また、例えば、反射層２４は、そのＬａｂ表色系における明度Ｌが７０以上である場合は、波長９００ｎｍ以上１７００ｎｍ未満の光の反射率が７０％以上である。なお、明度Ｌが小さいほど、要求される赤外線の反射率が小さいのは、筐体４に用いられる一般的な塗膜は、濃色ほど赤外線の吸収が大きいためである。したがって、濃色の（明度Ｌが小さい）反射層２４は、淡色の反射層２４ほど赤外線の反射率が大きくなくても、上述した所定の値以上であれば、赤外線の吸収を抑える効果を有する。
【００３６】
図６は、反射層２４，２４ａ〜２４ｃおよび低反射層２６に照射される光の波長（照射光波長）と、反射率との関係を示す図である。
【００３７】
図１０において、反射層２４は、可視光（波長４００ｎｍ以上８００ｎｍ以下）の反射率が約１０％であり、黒色に近い色に見える塗膜である。反射層２４は、赤外線の波長領域（波長９００ｎｍ以上１７００ｎｍ未満）において、光の反射率が３０％以上（約４５％）である。すなわち、反射層２４における赤外線の反射率は、反射層２４における可視光の反射率より高い。
【００３８】
これに対して、低反射層２６は、可視光の反射率が約１０％であり、反射層２４と同様に黒色に近い色に見える塗膜である。また、低反射層２６における赤外線の平均反射率は、低反射層２６における可視光の反射率とほぼ同じ約１０％である。
【００３９】
可視光の波長領域（波長４００ｎｍ以上８００ｎｍ以下）において、反射層２４と低反射層２６とは、ほぼ同じ反射率（約１０％）を有する。このため、筐体４の表面は、反射層２４が備えられる部分も、低反射層２６が備えられる部分も、両方とも黒色に近い色に見える。
【００４０】
しかし、赤外線の波長領域（波長９００ｎｍ以上１７００ｎｍ未満）において、反射層２４の反射率（約４５％）は、低反射層２６の反射率（約１０％）の４．５倍である。したがって、反射層２４が備えられる上面１４および正面１０等は（図１）、多量の赤外線を浴びる炎天下（太陽光が多く照射される状態）で使用される場合であっても、赤外線の反射率が高い。すなわち、筐体４の表面の中で、上面１４および正面１０は赤外線を浴びやすく、これらの面に反射層２４が備えられるカメラボディ２は、筐体４および筐体内部の温度上昇を効果的に防止することができる。
【００４１】
図６に示す反射層２４ｂおよび反射層２４ｃは、反射層２４とは異なる色を有する。すなわち、反射層２４ｂは、可視光の反射率が約２５％であり、灰色に見える塗膜である。反射層２４ｃは、可視光の反射率が約６５％であり、白色に近い色に見える塗膜である。反射層２４ｂは、赤外線の反射率が５０％以上（約６０％）である。反射層２４ｃは、赤外線の反射率が７０％以上（約８５％）である。このように、反射層２４ｂ，２４ｃにおける赤外線の反射率は、反射層２４と同様に、可視光の反射率より高い。
【００４２】
また、反射層２４ａも、可視光の平均反射率が１０％であり、赤外線の平均反射率が３０％以上（約３５％）であり、反射層の変形例の１つである。赤外線の平均反射率は、以下の数式１により計算することができる。
【００４３】
【数１】
2010160335.tif 000003
【００４４】
数式１において、Ｒλ（ｉ）は波長λ（ｉ）の光の反射率、λ（ｉ）はλ（１）＝９００，λ（２）＝９１０，λ（３）＝９２０，・・・λ（ｎ）＝１７００ｎｍとする。
【００４５】
反射層は、図６に示す反射層２４，２４ａ，２４ｂ，２４ｃに限定されず、Ｌａｂ表色系における明度Ｌが４０未満であって波長９００ｎｍ以上１７００ｎｍ未満の光の平均反射率が３０％以上であるか、Ｌａｂ表色系における明度Ｌが４０以上７０未満であって波長９００ｎｍ以上１７００ｎｍ未満の光の平均反射率が５０％以上であるか、Ｌａｂ表色系における明度Ｌが７０以上であって波長９００ｎｍ以上１７００ｎｍ未満の光の平均反射率が７０％以上であればよい。
【００４６】
さらに好ましくは、反射層２４における赤外線の平均反射率は、可視光の平均反射率よりも高いことが好ましい。例えば、反射層２４は、赤外線（波長９００ｎｍ以上１７００ｎｍ未満）の平均反射率が、可視光（波長４００ｎｍ以上８００ｎｍ以下）の平均反射率よりも１０％以上高いことが好ましい。また、例えば、反射層２４は、赤外線の平均反射率が、可視光の平均反射率よりも２０％以上高いことが更に好ましい。
【００４７】
以上のように、反射層２４は、物体に照射された場合に熱エネルギーに変換される光を反射する反射率が高い。したがって、反射層２４が備えられる筐体４を有するカメラボディ２は、例えば太陽光が多量に照射される環境下で使用される場合でも、筐体４および筐体４内部の温度上昇を抑制することができる。したがって、カメラボディ２は、筐体４の内部に収納される電子部品等を、過度の温度上昇から保護することができる。また、カメラボディ２は、筐体４の表面温度の上昇も抑制することができるため、カメラボディ２を使用する撮影者は、筐体４の表面を直接手で触れながら、快適に撮影を行うことができる。
【００４８】
反射層２４を備える筐体４は、例えば、図５（ａ）に示す筐体本体部１２０の表面に、顔料１２２を含有する塗料を塗布することによって、製造することができる。なお、筐体本体部１２０は、Ｍｇ、Ａｌ等を含む金属材料や、ポリカーボネイト等の樹脂材料によって形成されている。
【００４９】
背面１２および底面１６に備えられる低反射層２６（図１（ｂ））は、反射層２４より赤外線の反射率が低いが、反射層２４と同様に、筐体本体部１２０の表面を被覆しており、物理的および化学的な衝撃から筐体本体部１２０を保護している。また、低反射層２６は、赤外線の反射率が小さいため、筐体４の内部で発生した赤外線の反射率も小さく、筐体４の内部で発生した熱を効率的に筐体４の外部に放出させることができる。
【００５０】
図５（ｂ）に示すように、低反射層２６は、反射層２４と同様に、例えば筐体本体部１２０の外周表面に、低反射層２６の原料となる塗料を塗布することによって形成される。また、低反射層２６は、反射層２４と同じ塗料を、反射層より薄く塗布することによって形成することもできる。
【００５１】
本発明の第１実施形態に係るカメラボディ２は、物体に熱エネルギーを与える光を反射する反射率が高い反射層２４が備えられた筐体４を含むため、赤外線を多量に照射される環境下で用いられた場合でも、筐体４および筐体内部の温度上昇を効果的に防止することができる。また、筐体４を構成する表面の中で、上面１４および正面１０は、撮影中に赤外線を浴びやすく、これらの面に反射層２４が備えられるカメラボディ２は、筐体４および筐体内部の温度上昇を効果的に防止することができる。
【００５２】
また、カメラボディ２の筐体４は、反射層２４より赤外線の反射率が低い低反射層２６を備えている。低反射層２６は、図１（ｂ）に示すように、背面１２および底面１６に形成されているが、これに限定されない。低反射層２６は、例えば撮像素子１４８（図２）やボディＣＰＵ（不図示）のような、発熱しやすい電子部品が設置されている位置に近接して備えられていてもよい。これによって、カメラボディ２は、筐体４の内部で発生した熱を、効率的に筐体４の外部に放出（放射）することができる。すなわち、カメラボディ２の筐体４は、反射層２４によって外部からの赤外線を反射し、低反射層２６によって内部からの赤外線を放出することによって、筐体４の内部に収納される電子部品の過剰な温度上昇を防止することができる。
【００５３】
第２実施形態
図７は、本発明の第２実施形態に係るカメラボディ２ａの外観図である。図７は、筐体４ａの上面１４および正面１０ａ側からカメラボディ２ａを観察したものである。第２実施形態に係るカメラボディ２ａは、筐体４ａの正面１０ａに備えられるグリップ部３４ａに、反射層２４が形成されていないことを除き、第１実施形態に係るカメラボディ２と同様である。
【００５４】
グリップ部３４ａは、筐体４ａの正面１０ａに設けられている。しかし、カメラボディ２ａを使用する撮影者は、グリップ部３４ａを握って撮影を行う場合が多いため、グリップ部３４ａは、グリップ部３４ａ以外の正面１０ａと比較して、日照等に起因する赤外線を浴びにくい。したがって、第２実施形態に係るカメラボディ２ａは、グリップ部３４ａに反射層２４が形成されていないが、第１実施形態に係るカメラボディ２と同様の効果を有する。
【００５５】
また、グリップ部３４ａの表面には、滑り止めのためのゴム材料等が備えられても良い。図７に示すように、グリップ部３４ａの表面には、必要に応じて、低反射層２６が形成される。
【００５６】
第３実施形態
図８は、本発明の第３実施形態に係るカメラボディ２ｂの外観図である。図２は、筐体４ｂの上面１４および正面１０ｂ側からカメラボディ２ｂを観察したものである。第３実施形態に係るカメラボディ２ｂは、筐体４ｂの正面１０ｂに反射層２４が形成されていないことを除き、第１実施形態に係るカメラボディ２と同様である。
【００５７】
本実施形態に係るカメラボディ２ｂにおいて、反射層２４は、上面１４にのみ備えられる。上面１４は、野外撮影等において、日照による赤外線を最も受けやすいため、反射層２４が上面１４に備えられるカメラボディ２ｂは、筐体４ｂおよび筐体内部の温度上昇を効果的に防止することができる。
【００５８】
また、正面１０ｂ、側面および底面（不図示）には、低反射層２６が形成されている。カメラボディ２ｂは、筐体４ｂ内部に収納されている撮像素子や、電子回路等からの輻射熱が強い場合であっても、低反射層２６が形成されている範囲が広いため、このような輻射熱を効率的に筐体４ｂの外部に放出することができる。
【００５９】
第１〜第３実施形態に係るカメラボディ２ａ，２ｂに示すように、反射層２４または低反射層２６を設ける範囲は、カメラボディ２ａ，２ｂの用途や、撮像素子からの輻射熱の強さ等に応じて、変更することができる。反射層２４および低反射層２６が適切な位置に備えられるカメラボディ２ａ，２ｂは、筐体４，４ａ，４ｂおよび筐体内部の過剰な温度上昇を効果的に防止することができる。
【００６０】
第４実施形態
図９は、本発明の第４実施形態に係るカメラ５０の外観図である。カメラ５０は、筐体５２と、撮影光学系６８と、撮影光学系６８を保持するレンズ鏡筒６９とを有する。図９（ａ）は、筐体５２の上面５８および正面５４側からカメラ５０を観察したものである。図９（ｂ）は筐体５２の背面５６および底面６０側からカメラ５０を観察したものである。カメラ５０は、小型デジタルカメラの一種であり、撮影光学系６８は、撮像素子を備える筐体５２と一体となっている。
【００６１】
図１０および図１１に示すように、筐体５２は、正面５４（図１０（ａ））と、上面５８（図１０（ｂ））と、左側面６２（図１０（ｃ））と、背面５６（図１１（ａ））と、底面６０（図１１（ｂ））と、右側面（不図示）とを有する。
【００６２】
図１０（ａ）は、筐体５２における正面５４を実線で表し、その他の部分を点線で表している。正面５４は、撮影光の入射方向（Ｘ軸負方向側）に備えられる。本実施形態において、正面５４は、筐体５２を構成する各面のうち、撮影光学系６８が配置される面である。撮影光学系６８を保持するレンズ鏡筒６９は、正面５４に対して、Ｘ軸方向に相対移動可能に取り付けられている。また、正面５４には、撮影者がカメラ５０を保持しやすいように、グリップ部７１が形成されている。
【００６３】
図１０（ｂ）は、筐体５２における上面５８を実線で表し、その他の部分を点線で表している。上面５８は、撮影光の入射方向（Ｘ軸方向）に略平行であり、また、上面５８には、レリーズスイッチ６６およびモードダイアル７０等が備えられる。
【００６４】
図１１（ａ）は、筐体５２における背面５６を実線で表し、その他の部分を点線で表している。背面５６は、撮影光の入射方向（Ｘ軸方向）に交差する方向に備えられる。本実施形態において、背面５６は、筐体５２を構成する各面のうち、正面５４とは反対側に配置される面を意味する。背面５６には、筐体５２の内部に収納される撮像部（不図示）で撮像された画像を表示する画像表示部７２が備えられる。背面５６には、画像表示部７２の他に、方向ボタン７４、再生ボタン７６、決定ボタン７８および消去ボタン８０等の各ボタンが備えられる。
【００６５】
図１１（ｂ）は、筐体５２における底面６０を実線で表し、その他の部分を点線で表している。底面６０は、上面５８（図１０（ｂ））に対向する方向に備えられる。本実施形態において、底面６０は、筐体５２を構成する各面のうち、上面１４とは反対側に配置される面を意味する。
【００６６】
図１０（ｃ）は、筐体５２における左側面６２を実線で表し、その他の部分を点線で表している。また、右側面（不図示）は、左側面６２の反対側に配置される面である。本実施形態において、左側面６２および右側面は、正面５４（図１０（ａ））と背面５６（図１１（ａ））とを連結する。また、左側面６２および右側面は、上面５８（図１０（ｂ））と底面６０（図１１（ｂ））とを連結する。
【００６７】
図９（ａ）および図９（ｂ）において、斜線でハッチングされた部分には、波長９００ｎｍ以上１７００ｎｍ未満の光の反射率が高い反射層２４が備えられる。反射層２４は、筐体５２を構成する表面のうち、上面５８と、左側面６２と、グリップ部７１を除く正面５４とに備えられる。
【００６８】
反射層２４は、第１実施形態に係る筐体４（図１）に備えられる反射層２４と同様である。すなわち、反射層２４の反射率は、赤外線の波長領域において高いため、反射層２４が備えられる上面５８および正面５４等は、多量の赤外線を浴びる日照下等で使用される場合であっても、赤外線を反射し、筐体５２の温度上昇を防止する。すなわち、筐体５２を構成する表面のうち、上面５８、左側面６２および正面５４の一部は、赤外線を浴びやすく、これらの面に反射層２４が備えられるカメラ５０は、反射層２４の遮熱効果により、筐体５２および筐体内部の日射による温度上昇を効果的に防止することができる。
【００６９】
また、筐体５２を構成する表面のうち、背面５６と、底面６０と、右側面と、正面５４の一部であるグリップ部７１には、低反射層２６が備えられる。低反射層２６は、第１実施形態に係る筐体４（図１）に備えられる低反射層２６と同様である。すなわち、低反射層２６は、赤外線の反射率が小さいため、筐体５２の内部で発生した赤外線の反射率も小さく、筐体５２の内部で発生した熱を効率的に筐体５２の外部に放出させることができる。
【００７０】
本発明の第４実施形態に係るカメラ５０は、物体に熱エネルギーを与える光を反射する反射率が高い反射層２４が備えられた筐体５２を含む。したがって、カメラ５０は、多くの赤外線を照射される環境下で用いられた場合でも、筐体５２が赤外線を反射し、筐体５２および筐体内部の温度上昇を効果的に防止することができる。また、筐体５２を構成する表面のうち、上面５８、左側面６２および正面５４の一部は赤外線を浴びやすく、これらの面に反射層２４が備えられるカメラ５０は、筐体５２および筐体内部の温度上昇をさらに効果的に防止することができる。
【００７１】
また、カメラ５０の筐体５２は、反射層２４より赤外線の反射率が低い低反射層２６を備えている。これによって、カメラ５０は、筐体５２の内部で発生した熱を、効率的に筐体５２の外部に放出（放射）することができる。すなわち、筐体５２を有するカメラ５０は、反射層２４によって外部からの赤外線を反射し、低反射層２６によって内部からの赤外線を放出することによって、筐体５２の内部に収納される電子部品等の過剰な温度上昇を防止することができる。
【００７２】
第５実施形態
図１２は、本発明の第５実施形態に係るカメラ５０ａの外観図である。図１２は、筐体５２ａの上面５８、正面５４ａおよび左側面６２側から、カメラ５０ａを観察したものである。第５実施形態に係るカメラ５０ａは、筐体５２ａの正面５４ａ全体に、低反射層２６が形成されていることを除き、第４実施形態に係るカメラ５０と同様である。
【００７３】
本実施形態に係るカメラ５０ａにおいて、反射層２４は、上面５８と左側面６２にのみ備えられる。上面５８および左側面６２は、野外撮影等において、日照による赤外線を最も受けやすいため、反射層２４が上面５８および左側面６２に備えられるカメラ５０ａは、筐体５２ａおよび筐体内部の温度上昇を効果的に防止することができる。
【００７４】
また、正面５４ａと、不図示の底面および右側面には、低反射層２６が形成されている。カメラ５０ａは、筐体５２ａの内部に収納されている撮像素子や電子回路等からの輻射熱が強い場合であっても、低反射層２６が形成されている範囲が広いため、このような輻射熱を効率的に筐体５２ａの外部に放出（放射）することができる。
【００７５】
第６実施形態
図１３は、本発明の第６実施形態に係るカメラ８２の外観図である。図９は、筐体８４の上面９０、正面８６および左側面９４側からカメラ８２を観察した図である。カメラ８２は、筐体８４にグリップ部が形成されていない他は、第５実施形態に係るカメラ５０ａとほぼ同様であり、第５実施形態に係るカメラ５０ａと同様の効果を有する。
【００７６】
カメラ８２は、撮影光学系１００と、撮影光学系１００を保持するレンズ鏡筒１０１を有する。レンズ鏡筒１０１は、筐体８４の正面８６に配置されている。筐体８４の上面９０には、レリーズスイッチ９８と電源スイッチ１０２が備えられている。
【００７７】
図１３において、斜線でハッチングされた部分には、波長９００ｎｍ以上１７００ｎｍ未満の光の反射率が高い反射層２４が備えられる。反射層２４は、筐体８４を構成する表面のうち、上面９０と、左側面９４とに備えられる。このように、反射層２４を備える筐体８４は、グリップ部を有しない小型のデジタルカメラにも適用することが可能である。
【００７８】
第７実施形態
図１４は、本発明の第７実施形態に係るカメラ１１０の外観図である。図１４は、筐体１１２の上面１１６、正面１１４および左側面１１８側からカメラ１１０を観察した図である。カメラ８２は、撮影光学系１１９が筐体１１２に常時収納されていることと、筐体１１２の表面全体に反射層２４が備えられている他は、第５実施形態に係るカメラ８２と同様である。
【００７９】
図１４において、斜線でハッチングされた部分には、反射層２４が備えられており、筐体１１２の表面全体に反射層２４が備えられている。反射層２４を設ける範囲および位置は、カメラ１１０の用途や、筐体１１２内部に備えられる撮像素子からの輻射熱の強さ等に応じて決めることができる。
【００８０】
カメラ１１０は、例えばストラップ等を用いて、カメラの使用者が首から下げた状態で持ち運ばれる場合がある。その場合、筐体１１２を構成する面のうち、どの面が最も赤外線を浴びるかを予想することは困難であるため、筐体１１２の表面全体に反射層２４が備えられることが好ましい。
【００８１】
本発明の第６実施形態に係るカメラ１１０は、物体に熱エネルギーを与える光を反射する反射率が高い反射層２４が備えられた筐体１１２を含む。したがって、カメラ１１０は、多くの赤外線を照射される環境下で用いられた場合でも、筐体１１２が赤外線を反射し、筐体１１２および筐体内部の温度上昇を効果的に防止することができる。
【００８２】
その他の実施形態
上述の実施形態では、スチールカメラを例に挙げて説明を行ったが、本発明に係る撮影装置は、スチールカメラに限定されない。たとえば、ビデオカメラや、撮影機能を有する携帯電話にも、本発明を適用することができ、上述の実施形態と同様の効果を得ることができる。
【符号の説明】
【００８３】
２２ａ,２ｂ…  カメラボディ
４，４ａ,４ｂ,５２，５２ａ，８４，１１２…  筐体
１０，１０ａ，１０ｂ，５４，５４ａ，８６，１１４…  正面
１２，５６…  背面
１４，５８，９０，１１６…  上面
１６，６０…  底面
２２，６６,９８，１１７…  レリーズスイッチ
２４…  反射層
２６…  低反射層
４８，７２…  画像表示部
１２０…  筐体本端部
１４０…  撮像部
１４６，６８，１００，１１９…  撮影光学系
【図１】
2010160335.tif 000004
【図２】
2010160335.tif 000005
【図３】
2010160335.tif 000006
【図４】
2010160335.tif 000007
【図５】
2010160335.tif 000008
【図６】
2010160335.tif 000009
【図７】
2010160335.tif 000010
【図８】
2010160335.tif 000011
【図９】
2010160335.tif 000012
【図１０】
2010160335.tif 000013
【図１１】
2010160335.tif 000014
【図１２】
2010160335.tif 000015
【図１３】
2010160335.tif 000016
【図１４】
2010160335.tif 000017